(57)【要約】【課題】木ねじを木材にねじ込む際、そのテーパ部に形成される垂直突条がまず木材の表面に下孔を開け、木材の繊維を切削して木材に進入することで、作業に必要な動力を低減でき、木材の割れの発生を防止できる木ねじを提供する。【解決手段】  本発明の木ねじは、頭部と、軸部と、ねじ山と、少なくとも一つの垂直突条と、少なくとも一つのねじれ突条とを備える。頭部はねじ込み工具と係合するのに用いる。軸部は、前記頭部から伸び、ストレート部と、該ストレート部の先端に設けられ徐々に細くなるテーパ部と、該テーパ部の先端に設けられる先端部とを備える。ねじ山は前記ストレート部の外周面に形成する。垂直突条は前記テーパ部に形成する。ねじれ突条は前記テーパ部に形成し、前記垂直突条と前記ねじ山の間に設ける。【選択図】図５
2007155126.tif 000002
【特許請求の範囲】
【請求項１】
ねじ込み工具と係合する頭部と、
ストレート部、該ストレート部の先端に設けられ徐々に細くなるテーパ部、及び該テーパ部の先端に設けられる先端部を備え、前記頭部から伸び一つの軸線を定める軸部と、
前記ストレート部の外周面に形成されるねじ山と、
前記テーパ部に設けられ、紡錘形に形成される少なくとも一つの垂直突条と、
を備えることを特徴とする木ねじ。
【請求項２】
前記垂直突条が、前記軸線と平行に設けられることを特徴とする請求項１記載の木ねじ。
【請求項３】
前記垂直突条が、その長さ方向に対称的或いは非対称的に形成されることを特徴とする請求項１記載の木ねじ。
【請求項４】
前記テーパ部に対称的に形成された少なくとも二つの垂直突条を含むことを特徴とする請求項１記載の木ねじ。
【請求項５】
前記垂直突条が、前記軸線と平行に設けられることを特徴とする請求項４記載の木ねじ。
【請求項６】
前記テーパ部に形成され、前記垂直突条及び前記ねじ山の間に設けられる少なくとも一つのねじれ突条をさらに備えることを特徴とする請求項１記載の木ねじ。
【請求項７】
前記ねじれ突条の螺旋角が、前記垂直突条の螺旋角より大きく、前記ねじ山の螺旋角より小さいことを特徴とする請求項６記載の木ねじ。
【請求項８】
前記ねじ山の高さが、前記ねじれ突条の高さより高いことを特徴とする請求項６記載の木ねじ。
【請求項９】
前記テーパ部に対称的に形成された少なくとも二つの垂直突条及び少なくとも二つのねじれ突条を備えることを特徴とする請求項６記載の木ねじ。
【請求項１０】
ねじ込み工具と係合する頭部と、
ストレート部、該ストレート部の先端に設けられ徐々に細くなるテーパ部、及び該テーパ部の先端に設けられる先端部を備え、前記頭部から伸び一つの軸線を定める軸部と、
前記ストレート部の外周面に形成されるねじ山と、
前記先端部から延伸する垂直突条、及び該垂直突条の後端と接続して前記ストレート部の先端まで延伸するねじれ突条を備え、前記テーパ部に設けられる少なくとも一つのドリル刃と、
を備え、前記垂直突条が前記軸線と平行に設けられ、前記ねじれ突条が周方向に一周するより短く形成されることを特徴とする木ねじ。
【請求項１１】
前記ねじれ突条の螺旋角が、前記垂直突条の螺旋角より大きく、前記ねじ山の螺旋角より小さいことを特徴とする請求項１０記載の木ねじ。
【請求項１２】
前記ねじれ突条の最大の呼び径が、前記ねじ山の基部の直径より大きく、前記ねじ山の呼び径より小さいことを特徴とする請求項１０記載の木ねじ。
【請求項１３】
前記テーパ部に対称的に形成された少なくとも二つのドリル刃を備えることを特徴とする請求項１０記載の木ねじ。
【請求項１４】
前記ドリル刃が、その長さ方向に対称的或いは非対称的に形成されることを特徴とする請求項１０記載の木ねじ。
【発明の詳細な説明】
【技術分野】
【０００１】
本発明は、ねじに関し、特に木ねじに関する。
【０００２】
本願発明は、ここに引用して本明細書に組み込む出願日２００５年１１月３０日の台湾出願第０９４１４２０７２号における全開示内容に係り優先権主張するものである。
【背景技術】
【０００３】
図１を参照して、従来の木ねじ１００を説明する。木ねじ１００は、頭部１１０と軸部１２０とからなる。該頭部１１０は木ねじを回す工具と係合するのに用いる。該頭部１１０から伸びる軸部１２０は、ストレート部１２４と、該ストレート部１２４の下端部に先鋭に形成されたテーパ部１２２とを備える。また、前記ストレート部１２４及びテーパ部１２２の外周面にねじ込み用のねじ山１３０が螺旋状に形成されている。
【０００４】
前記木ねじ１００は、木材に事前に下孔を開ける必要がなく、この木ねじ１００を直接木材に押し回してねじ込める。しかしながら、前記木ねじ１００を木材に押し回してねじ込む際、ストレート部１２４及びねじ山１３０並びに木材の間のねじ込みの抵抗力が増大するにつれて、作業に必要な動力が大きくなり、また、この木材が容易に割れを生じるという問題がある。
【０００５】
上述した問題を解決するために、台湾公告第Ｍ２５９８６０号の「木ねじ」には、木材を切削できる木ねじ２００が記載されている（図２）。該木ねじ２００は、頭部２１０と軸部２２０とからなる。該頭部２１０は木ねじを回す工具と係合するのに用いる。前記頭部２１０から伸びる軸部２２０は、ストレート部２２４と、該ストレート部２２４の下端部に先鋭に形成されたテーパ部２２２を備える。また、前記ストレート部２２４の外周面には、ねじ込み用のねじ山２３０が螺旋状に形成される。さらに、前記テーパ部２２２には、前記ねじ山２３０と繋がるドリル刃２４０が形成されている。前記ねじ山２３０の螺旋角（ｈｅｌｉｘ  ａｎｇｌｅ）は前記ドリル刃２４０の螺旋角（軸部の中心線との夾角）より大きく形成される。前記木ねじ２００を木材にねじ込む時、前記ドリル刃２４０が木材の繊維を切削しつつねじ込まれる。このため、該木ねじ２００の締付トルクは、ドリル刃２４０が形成されていない木ねじ１００の締付トルクより小さく、その上、木材に割れを生じるおそれも低減される。しかしながら、前記ドリル刃２４０が螺旋状に形成されているので、木材の繊維を切削する機能も、木材に割れが生じるのを防止する機能も制限される。
【特許文献１】台湾公告第Ｍ２５９８６０号
【発明の開示】
【発明が解決しようとする課題】
【０００６】
本発明の目的は、木ねじを木材にねじ込む際、そのテーパ部に形成される垂直突条（ｖｅｒｔｉｃａｌ  ｔｉｐｓ）がまず木材の表面に下孔を開け、木材の繊維を切削して木材に進入することで、ねじ込み作業に必要な動力が低減でき、木材の割れの発生を防止できる木ねじを提供することにある。本発明にかかる一実施例の木ねじは、頭部と軸部とからなる。頭部の頂面には、ねじ締め用工具と係合できる凹部が形成されている。頭部から伸びる軸部は、ストレート部と、該ストレート部の先端に先鋭に形成されたテーパ部と、該テーパ部の先端に形成された先端部とを備える。ストレート部の外周面には、ねじ込み用のねじ山が螺旋状に形成されている。また、本発明に係る木ねじは、前記テーパ部に少なくとも一つの垂直突条が形成されている。
【課題を解決するための手段】
【０００７】
本発明に係る他の実施例の木ねじには、さらに少なくとも一つのねじれ突条が形成されている。該ねじれ突条はテーパ部に形成され、垂直突条及びねじ山の間に設けられている。木ねじを木材にねじ込む時、該ねじれ突条が木材の繊維を切削し、木材を押し広げてねじ山と木材とのねじ込みを容易にする。
【０００８】
本発明に係る他の実施例の木ねじには、少なくとも一つのドリル刃が形成されている。該ドリル刃はテーパ部に形成され、先端部から延伸した垂直突条と、該垂直突条の後端からストレート部の先端まで延伸したねじれ突条とを具備する。
【発明を実施するための最良の形態】
【０００９】
本発明のその他の目的、特徴および利点は、添付図面を参照して説明する以下の実施例の詳細な説明から一層明らかとなろう。
【００１０】
図３を参照して、本発明に係る第一実施例の木ねじ３００を示す。該木ねじ３００は、頭部３１０と軸部３２０とからなる。該頭部３１０の頂面３１４には、木ねじを回す工具と係合する凹部３１２が形成されている。前記軸部３２０は前記頭部３１０から伸び、一つの軸線３９０（ａｘｉｓ）をその中心に定める。前記軸部３２０は、ストレート部３２４と、該ストレート部３２４の先端に設けられ徐々に細くなるテーパ部３２２と、該テーパ部３２２の先端に形成された先端部３２６とを具備する。前記ストレート部３２４の外周面にねじ込み用のねじ山３３０が螺旋状に形成され、木ねじ３００を木材から抜き出すことを防止できる。前記木ねじ３００のテーパ部３２２には、さらに少なくとも一つの垂直突条３４０が設けられ、該垂直突条３４０の長さ方向を、前記軸線３９０と平行に設けることが好ましい。該垂直突条３４０は紡錘形とされ、すなわち、その中央部分の底面径（該紡錘形の中心軸に垂直な方向に切った断面径）が一番大きく、長さ方向の両端に向かって該底面径が徐々に小さくなる。さらに、垂直突条３４０は、その長さ方向に対称的に或いは非対称的に形成される。本発明に係る木ねじ３００は、少なくとも二つの垂直突条３４０を有し、周方向に等角度の間隔をおいて対称的に前記テーパ部３２２に形成されることが好ましい。
【００１１】
本発明に係る木ねじ３００を木材にねじ込む時、前記垂直突条３４０が木材の繊維を切削できるため、該木ねじ３００の締付トルクは小さくなり、かつ木材に割れを生じるおそれも防止できる。
【００１２】
図４を参照して、本発明に係る第二実施例の木ねじ４００を説明する。該木ねじ４００は第一実施例の木ねじ３００と類似の構成を有する。ここで、同様の構成要素は同じ番号で表示する。木ねじ４００は少なくとも一つのねじれ突条４５０を備える。該ねじれ突条４５０はテーパ部３２２に形成され、前記垂直突条３４０及びねじ山３３０の間に独自に設けられ、軸部の周方向を一周するより短く形成される。前記ねじれ突条４５０の螺旋角α（ｈｅｌｉｘ  ａｎｇｌｅ）は、前記垂直突条３４０の螺旋角βより大きくし、一方、前記ねじ山３３０の螺旋角θより小さくする。また、前記ねじ山３３０の高さＨは、前記ねじれ突条４５０の高さｈより大きくする。本発明に係る木ねじ４００は、好ましくは、前記テーパ部３２２に、周方向に等角度の間隔をおいて対称的に形成された少なくとも二つの垂直突条３４０、及び、少なくとも二つのねじれ突条４５０を備える。
【００１３】
本発明に係る木ねじ４００を木材にねじ込む時、前記ねじれ突条４５０が木材の繊維を切削し、ねじ山３３０と木材とのねじ込みを導引する。前記ねじれ突条４５０が比較的小さい螺旋角を有すため、先ず木材に食い込み、それから木材の繊維を切削して木材を押し広げる効果を発生する。前記ねじ山３３０を木材の奥へ食い込ませると、木ねじ４００を木材に高速で進入させることができ、その上、より小さい締付トルクでねじ山３３０と木材とをねじ込め、さらに木材の割れを防止できる（これはねじ山３３０を木材にねじ込むと、ねじれ突条４５０が木材の繊維を切削して木材を押し拡げる効果を発生するからである）。
【００１４】
図５を参照して、本発明に係る第三実施例の木ねじ５００を説明する。該木ねじ５００は第二実施例の木ねじ４００と類似の構成を有する。ここで、同様の構成要素は同じ番号で表示する。木ねじ５００は前記テーパ部３２２に、少なくとも一つのドリル刃５５０を具備する。このドリル刃５５０は、木ねじ４００の垂直突条３４０とねじれ突条４５０との組合せに類似し、先端部３２６から延伸する垂直突条５５２と、該垂直突条５５２の後端から前記ストレート部３２４の先端にまで延伸するねじれ突条５５４とからなる。前記ねじれ突条５５４の螺旋角α’は、前記垂直突条５５２の螺旋角β’より大きくし、一方、前記ねじ山３３０の螺旋角θ’より小さくする。また、前記ねじれ突条５５４の最大の呼び径Ｄ２は、前記ねじ山３３０の基部の直径ｄより大きくし、一方、前記ねじ山３３０の呼び径Ｄ１より小さくする。好ましくは、前記垂直突条５５２を前記軸線３９０と平行に設け、前記ねじれ突条５５４を軸部の周方向に一周するより短く形成する。前記ドリル刃５５０は、長さ方向に沿って、対称的或いは非対称的な形状に形成される。本発明に係る木ねじ５００は、好ましくは、前記テーパ部３２２に、周方向に等角度の間隔をおいて対称的に形成された少なくとも二つのドリル刃５５０を備える。前記木ねじ５００の垂直突条５５２及びねじれ突条５５４は、前記木ねじ４００の垂直突条３４０及びねじれ突条４５０と同じ効果を有する。従って、木ねじ５００にかかる詳細な説明は、ここでは省略する。
【００１５】
なお、本発明は前記実施の形態に限定されるものではなく、本発明の趣旨に基づいて種々変形させることが可能であり、それらを本発明の範囲から排除するものではない。
【００１６】
本発明に係る木ねじと、台湾公告第Ｍ２５９８６０号に記載の木ねじとの差異点は次の通りである。本発明に係る木ねじでは、ねじの突条形状（ｓｃｒｅｗ  ｌｏａｄ）が可変であること、また、ねじ山とねじれ突条を繋げる必要がないこと。本発明の木ねじを木材にねじ込む際、垂直突条が設けられているため、螺旋状に形成されたドリル刃を有する従来の木ねじより効率的に木材を切削できること。さらに、二つのダイスで木ねじを製造する際、二つのダイスを調整し、ねじれ突条及びねじ山を繋げるという困難を排除できる点にある。
【図面の簡単な説明】
【００１７】
【図１】従来の木ねじを示す説明図である。
【図２】ドリル刃が設けられている従来の木ねじを示す説明図である。
【図３】本発明に係る第一実施例の木ねじを示す説明図である。
【図４】本発明に係る第二実施例の木ねじを示す説明図である。
【図５】本発明に係る第三実施例の木ねじを示す説明図である。
【符号の説明】
【００１８】
１００    木ねじ
１１０    頭部
１２０    軸部
１２２    テーパ部
１２４    ストレート部
１３０    ねじ山
２００    木ねじ
２１０    頭部
２２０    軸部
２２２    テーパ部
２２４    ストレート部
２３０    ねじ山
２４０    ドリル刃
３００    木ねじ
３１０    頭部
３１２    凹部
３１４    頂面
３２０    軸部
３２２    テーパ部
３２４    ストレート部
３２６    先端部
３３０    ねじ山
３４０    垂直突条
３９０    軸線
４００    木ねじ
４５０    ねじれ突条
５００    木ねじ
５５０    ドリル刃
５５２    垂直突条
５５４    ねじれ突条
ｄ        ねじ山の基部の直径
Ｄ１、Ｄ２    呼び径
α、α’、β、β’、θ、θ’  螺旋角
【図１】
2007155126.tif 000003
【図２】
2007155126.tif 000004
【図３】
2007155126.tif 000005
【図４】
2007155126.tif 000006
【図５】
2007155126.tif 000007